(57)【要約】【課題】床材製造時、ホットプレス工程後に多段、積載保管する際、接着剤からの水分、床材自体が含む水分やホットプレス後の余熱を効率的に放散させ、反りや伸縮することのない寸法安定性に優れた木質床材を提供する。【解決手段】木質基材の表面に湿式単板を貼着してなる木質床材であって、上記木質基材１の表面に接着剤３を塗布後、湿式単板２を熱圧下に接着してなる木質床材本体Ｂの裏面に通気性を有するクッション層４を設けてなることを特徴とする木質床材。好ましくは、通気性を有するクッション層４として三次元ネットが用いられる。【選択図】図１
2014018985.tif 000002
【特許請求の範囲】
【請求項１】
木質基材の表面に湿式単板を貼着してなる木質床材であって、上記木質基材の表面に接着剤を塗布後、湿式単板を熱圧下に接着してなる木質床材本体の裏面に通気性を有するクッション層を設けてなることを特徴とする木質床材。
【発明の詳細な説明】
【技術分野】
【０００１】
本願発明は木質床材に関する。さらに詳しくは、木質基材の表面に湿式単板を貼着してなる木質床材に関するものである。
【背景技術】
【０００２】
木質床材は近年、無垢の木材の入手が困難となっていることから、合板、集成材や中密度繊維板（ＭＤＦ）、パーティクルボード（ＰＢ）等を基材として用い、これら木質基材の表面に天然木由来の突き板等の湿式単板、あるいは木目模様に化粧された樹脂シートや印刷紙等を接着し、複合化して木質床材とすることが広く行われている。
【０００３】
上記した木質基材のうち、中密度繊維板（ＭＤＦ）、パーティクルボード（ＰＢ）等はエンジニアリングボードともよばれ、表面強度および表面の平滑性に優れているため、建築用材料や家具等にそのまま使用されているが、近年床材等の板材の基材としても盛んに使用されている。
【０００４】
例えば、特開２００８−１７３８２０号公報には、ＭＤＦ、ＰＢ等エンジニアリングボードを基材として用い、これら木質基材の裏面に該木質基材と吸放湿特性が同等である木質単板を貼着して得られた複合木質板の表面に突き板を貼着してなる木質建築材が開示されている。
【０００５】
このとき、上記複合木質板を表面側が持ち上がるように凸反りに形成することによって、表面に貼着された突き板が接着、乾燥時に収縮する際に生じる応力と、上記凸反りによる応力とが相殺して複合木質板の表面の平面性が保たれ、床材として有効な木質建築材が提供できる、とその効果が記載されている。
【０００６】
通常、上記貼着、乾燥は木質基材の表面にＳＢＲ系接着剤、酢酸ビニル系接着剤、エチレン−酢酸ビニル系接着剤、メラミン系接着剤、ユリア樹脂系接着剤等、公知のエマルジョン系接着剤を塗布後、突き板と木質基材とをホットプレスすることによって行われる。
【０００７】
しかし、通常、温度１１０〜１３０℃、圧力０．６〜０．９ＭＰａの熱圧下にホットプレスした後、製品を多段に積載して保管すると、ホットプレス後の余熱や、接着剤からの水分、あるいは中密度繊維板（ＭＤＦ）、パーティクルボード（ＰＢ）自体が含む水分が内部にこもり、木質建築材自体が吸質、放湿する結果、伸縮して不良品が発生するという問題がある。
【先行技術文献】
【特許文献】
【０００８】
【特許文献１】特開２００８−１７３８２０号公報
【発明の概要】
【発明が解決しようとする課題】
【０００９】
例えば、上記木質基材をＭＤＦと合板とを複合して構成し、その表面に突き板等の湿式単板を貼着してなる公知の木質床材は、本願図２（ａ）に分解断面説明図で示すように、ＭＤＦ１１と合板１２とからなる木質基材１の表面に接着剤３を塗布し、湿式単板２を仮置きし、上記条件下でホットプレスして得られる。
【００１０】
そのとき、本願図２（ｂ）に示すように、ホットプレス終了後、公知の木質床材Ｃを、
多段に積載して保管すると、木質床材Ｃ自体が吸湿、放湿する結果、模式的に図示するように伸縮し、寸法安定性に劣り、また、出荷の際に木質床材Ｃ自体に反りのある不良品が出るという問題がある。
問題が発生する。
【００１１】
本願発明は、このような状況に鑑みてなされたものであって、表面化粧材としての湿式単板を木質基材に接着する際のホットプレス工程後に多段、積載保管するとき、接着剤からの水分、あるいは床材自体が含む水分やホットプレス後の余熱を効率的に放散させ、反りや伸縮することのない寸法安定性に優れた木質床材を提供することを、その目的とする。
【課題を解決するための手段】
【００１２】
上記課題を解決するために、本願請求項１に記載の発明に係る木質床材は、木質基材の表面に湿式単板を貼着してなる木質床材であって、上記木質基材の表面に接着剤を塗布後、湿式単板を熱圧下に接着してなる木質床材本体の裏面に通気性を有するクッション層を設けてなることを特徴としている。
【００１３】
上記木質基材としては、合板、集成材や中密度繊維板（ＭＤＦ）、パーティクルボード（ＰＢ）、木質プラスチックボード（ＷＰＢ）等種々のものをあげることができる。
【００１４】
また、上記湿式単板としては、天然木由来の突き板、すなわち、マツ、スギ、ヒノキ、ナラ、カバ、ブナ等の木目模様を有する単板をあげることができる。
【００１５】
また、通気性を有するクッション材としては、塊状繊維集合体をネット状に形成した三次元ネット、不織布、連続気泡を有する軟質ウレタン樹脂発泡体等をあげることができる。
【００１６】
ここで塊状繊維集合体とは、特開昭５８−８７３５１号公報に記載のように単糸繊度０．３〜５０ｄの複数本の主体短繊維が互いに絡み合い、かつ繊維間の交叉接触個所が繊維状接着剤で結合されたものであり、主体短繊維としてナイロンやポリエステル等の合成繊維が用いられ、繊維状接着剤として上記主体短繊維と強く接着する、例えば、コポリアミド、コポリエステル等の低融点コポリマーが用いられている。
【００１７】
そして、上記塊状繊維集合体をネット状に形成することにより、繰り返しの圧縮によっても弾性を失わず、へたって嵩高性のない扁平状に変形することのない通気性を有するクッション材として用いることができる。
【発明の効果】
【００１８】
本願請求項１記載の発明に係る木質床材においては、木質基材の表面に接着剤を塗布後、湿式単板を熱圧下に接着してなる木質床材本体の裏面に通気性を有するクッション層が設けられているため、このクッション層を介して段積みされた木質床材と木質床材との間に通気性空間を確保することができる。
【００１９】
そして、上記通気性空間を通して、ホットプレス後の余熱や木質床材自体が含む水分が効率的に放散するため、反りや伸縮することのない寸法安定性に優れた木質床材とすることができる。
【００２０】
加えて、合板、ＭＤＦ、パーティクルボード、木質プラスチックボード（ＷＰＢ）等を木質基材とし、例えば、湿式単板として天然木由来の木目模様を有する突き板で表面化粧することにより、本願発明に係る木質床材は、意匠性に優れ、かつ反りや曲がりが生じる
ことのない寸法安定性に優れたものとなる。
【００２１】
また、本願発明に係る木質床材を床下地に敷設するとき、上記通気性を有するクッション層が床面と床下地との間に介在することになり、階下からの騒音を遮蔽し、あるいは階上で物を落としたときの衝撃音等が階下に伝播することを防いで防音性に優れたフローリングを施工することができる。
【００２２】
さらに、戸建住宅等にフローリング施工したとき、上記防音機能に加えて、通気性を有するクッション層が断熱効果をも発揮して冬季に床下からの冷気を防ぐ断熱機能を発揮する。またそのクッション性によって歩行感にも優れたものとなる。
【図面の簡単な説明】
【００２３】
【図１】（ａ）本願発明に係る木質床材の構成を示す分解説明図である。（ｂ）本願発明に係る木質床材を多段に積載して保管する状態を示す説明図である。
【図２】（ａ）公知の木質床材を示す分解断面説明図である。（ｂ）公知の木質床材を多段に積載して保管する状態を示す説明図である。
【発明を実施するための形態】
【００２４】
以下、本願発明に係る木質床材の実施形態について図面を参照して詳細に説明する。図１（ａ）は、本願発明に係る木質床材の構成を示す分解説明図である。
【００２５】
図１（ａ）において、本願発明に係る床材本体Ｂは、ＭＤＦ１１と合板１２とからなる木質基材１の表面に接着剤３を塗布し、湿式単板２、例えば、木目模様を有する突き板を仮置きし、ホットプレス工程で貼着して製造される。
【００２６】
本願発明においては、上記床材本体Ｂの裏面に、さらに通気性を有するクッション層４が設層される。本実施形態においては、上記通気性を有するクッション層４として、ＰＥＴ（ポリエチレンテレフタレート）からなる主体短繊維が互いに絡み合い、かつ繊維間の交叉接触個所が繊維状接着剤で結合された塊状繊維集合体をネット状に形成した三次元ネットが用いられる。
【００２７】
上記三次元ネットは、床材本体Ｂの裏面に、ＳＢＲ系接着剤、酢酸ビニル系接着剤、エチレン−酢酸ビニル系接着剤、メラミン系接着剤、ユリア樹脂系接着剤等、公知のエマルジョン系接着剤を用いて接着される。
【００２８】
このようにして、木質床材本体Ｂの裏面に通気性を有するクッション層４が設けられた本願発明に係る木質床材Ａは、図１（ｂ）の説明図に示すように、多段に積載して保管される。
【００２９】
このとき、木質床材Ａは、通気性を有するクッション層４としての三次元ネットを介して段積みされているため、木質床材Ａと木質床材Ａとの間には通気性空間が確保される。そのため、図１（ｂ）に→で示すように、木質床材Ａ自体が含む水分やホットプレス後の余熱を効率的に放散させることができる。そして、製品としての木質床材Ａは、反りや伸縮することのない寸法安定性に優れたものとなる。
【００３０】
また、本願発明に係る木質床材Ａを用いてフローリング施工を行った場合、上記通気性を有するクッション層４が床面と床下地との間に介在することによって、階下からの騒音を遮蔽し、あるいは階上で物を落としたときの衝撃音等が階下に伝播することを防ぐ防音性にも優れたものとなる。
【００３１】
さらに、戸建住宅等にフローリング施工したとき、上記防音機能に加えて、通気性を有するクッション層４が断熱効果を発揮して冬季に床下からの冷気を防ぐ断熱機能をも発揮する。またそのクッション性によって歩行感にも優れたものとなる。
【００３２】
なお、本実施形態においては、通気性を有するクッション層として三次元ネットを用いた場合について説明したが、三次元ネットのみならず、厚みのあるネット構造の不織布を用いてもよい。あるいは、連続気泡を有する軟質ウレタン樹脂発泡体を用いてもよい。
【００３３】
このように本願発明に係る木質床材は設計変更自在であり、特許請求の範囲を逸脱しない限り、いずれの場合も本願発明の技術的範囲に属する。
【符号の説明】
【００３４】
Ａ      本願発明に係る木質床材
Ｂ      木質床材本体
Ｃ      公知の木質床材
１      木質基材
１１    ＭＤＦ
１２    合板
２      湿式単板
３      接着剤
４      通気性を有するクッション層
【図１】
2014018985.tif 000003
【図２】
2014018985.tif 000004